(57)【要約】【課題】リモコン信号と環境照度の受光において独立した受光部品を使用しているため、装置の外装スペース、コスト面で課題があった。【解決手段】可視光の環境外光、および環境外光と赤外線リモコン信号の混合信号を受光する受光部５１と、受光した混合信号から赤外線リモコン信号を抽出し、抽出した赤外線リモコン信号をリモコンパルス信号に変換するリモコン信号復調部５３と、受光した環境外光から照度信号を生成する照度信号生成部５５と、リモコンパルス信号の出力の有無を判定し、リモコンパルス信号の出力が無い間は、受光した環境外光から生成された照度信号を保持し、リモコンパルス信号の出力が有る間は、照度信号生成部に対し、受光した環境外光から生成する照度信号に代えて、リモコンパルス信号の出力が無い間に保持している照度信号を出力するよう制御する制御部５４と、からなる受光素子０５。【選択図】図２
2011249968.tif 000002
【特許請求の範囲】
【請求項１】
可視光の環境外光、および前記環境外光と赤外線リモコン信号の混合信号を受光する受光部と、
前記受光した混合信号から前記赤外線リモコン信号を抽出し、前記抽出した赤外線リモコン信号をリモコンパルス信号に変換するリモコン信号復調部と、
前記受光した環境外光から照度信号を生成する照度信号生成部と、
前記リモコンパルス信号の出力の有無を判定し、
前記リモコンパルス信号の出力が無い間は、
前記受光した環境外光から生成された照度信号を保持し、
前記リモコンパルス信号の出力が有る間は、
前記照度信号生成部に対し、前記受光した環境外光から生成する照度信号に代えて、前記リモコンパルス信号の出力が無い間に保持している照度信号を出力するよう制御する
制御部と、
からなる受光素子。
【請求項２】
可視光の環境外光、および前記環境外光と赤外線リモコン信号の混合信号を受光する第１のステップと、
前記受光した混合信号から前記赤外線リモコン信号を抽出し、前記抽出した赤外線リモコン信号をリモコンパルス信号に変換する、または
前記受光した環境外光から照度信号を生成する第２のステップと、
前記リモコンパルス信号の出力の有無を判定し、
前記リモコンパルス信号の出力が無い間は、
前記受光した環境外光から生成された照度信号を保持および出力し、
前記リモコンパルス信号の出力が有る間は、
前記リモコンパルス信号とともに、前記受光した環境外光から生成した照度信号に代えて、前記リモコンパルス信号の出力が無い間に保持している照度信号を出力する第３のステップと、
からなる出力制御方法。
【請求項３】
可視光の環境外光、および前記環境外光と赤外線リモコン信号の混合信号を受光する受光部と、
前記受光した混合信号から前記赤外線リモコン信号を抽出し、前記抽出した赤外線リモコン信号をリモコンパルス信号に変換するリモコン信号復調部と、
前記受光した環境外光から照度信号を生成する照度信号生成部と、
からなる受光素子と、
前記リモコンパルス信号および前記照度信号を受信し、
前記リモコンパルス信号を受信していない間は、
前記受光した環境外光から生成された照度信号を保持するとともに、前記受光した環境外光から生成された照度信号に基づき輝度制御信号を出力し、
前記リモコンパルス信号を受信している間は、
前記リモコンパルス信号に基づきリモコン制御信号を出力するとともに、前記受光した環境外光から生成された照度信号に代えて、前記リモコンパルス信号の出力を受信していない間に保持している照度信号に基づき輝度制御信号を出力する制御マイコンと、
からなる受光システム。
【請求項４】
可視光の環境外光、および前記環境外光と赤外線リモコン信号の混合信号を受光する第１のステップと、
前記受光した混合信号から前記赤外線リモコン信号を抽出し、前記抽出した赤外線リモコン信号をリモコンパルス信号に変換する、または
前記受光した環境外光から照度信号を生成する第２のステップと、
前記リモコンパルス信号および前記照度信号を受信し、
前記リモコンパルス信号を受信していない間は、
前記受光した環境外光から生成された照度信号を保持するとともに、前記受光した環境外光から生成された照度信号に基づき輝度制御信号を出力し、
前記リモコンパルス信号を受信している間は、
前記リモコンパルス信号に基づきリモコン制御信号を出力するとともに、前記受光した環境外光から生成された照度信号に代えて、前記リモコンパルス信号の出力を受信していない間に保持している照度信号に基づき輝度制御信号を出力する第３のステップと、
からなる出力制御方法。
【発明の詳細な説明】
【技術分野】
【０００１】
本発明は、受光素子、受光システムに係わり、特に放送受信装置などにおける受光素子、受光システムにおいて、リモコンパルス信号および照度信号の出力を制御する技術に関するものである。
【背景技術】
【０００２】
放送受信装置において、遠隔操作を行なう為に赤外線リモコンの受光部が使用されている。また、画面の輝度を周囲の照度環境によって変化させる機能を備えた放送受信装置には、環境照度を判別するための受光部が使用されている。
【０００３】
図６は、従来の放送受信装置の構成図である。
【０００４】
従来の放送受信装置２００は、チューナー部０１、映像処理部０２、映像表示部０３、リモコン受光部０８、環境照度受光部０９、制御マイコン１０から構成される。
【０００５】
図６において、赤外線リモコン０６による選局動作を説明する。
【０００６】
赤外線リモコン０６からユーザー操作により赤外線リモコン信号が送信されると、リモコン受光部０８は、赤外線リモコン０６からの赤外線リモコン信号を受光し、赤外線リモコン信号を電気信号のリモコンパルス信号に変換し、制御マイコン１０へ出力する。
【０００７】
制御マイコン１０は、放送受信装置２００の各種信号処理を行うマイコンである。制御マイコン１０は、リモコン受光部０８からのリモコンパルス信号を受信し、チューナー部０１へＣＨ切替信号や入力切替信号（リモコン制御信号）を送る。
【０００８】
チューナー部０１は、制御マイコン１０からのリモコン制御信号に基づきＣＨ切替や入力切替動作を行ない、受信した映像信号を映像処理部０２へ出力する。
【０００９】
映像処理部０２は、チューナー部０１から入力された映像信号に対して、制御マイコン１０の制御に基づいた映像処理を行い、映像表示部０３へ出力する。
【００１０】
映像表示部０３は、映像処理部０２より入力された映像信号の表示を行なう。
【００１１】
図７は、リモコン受光部０８および環境照度受光部０９の構成図である。
【００１２】
リモコン受光部０８は、リモコン受光素子８１、ＡＧＣ（Ａｕｔｏｍａｔｉｃ  Ｇａｉｎ  Ｃｏｎｔｒｏｌ）５２、リモコン信号復調部５３、制御部７１から構成される。
【００１３】
リモコン受光素子８１は、赤外光の範囲に感度波長帯域をもった素子で、赤外線リモコン０６からの赤外線リモコン信号を受光し、電気信号に変換する。
【００１４】
ＡＧＣ５２は、リモコン受光素子８１からの入力信号の強弱に応じて、信号のレベルを調整する。
【００１５】
制御部７１は、ＡＧＣ５２におけるＡＧＣレベルの調整やリモコン信号復調部５３の制御等を行う。
【００１６】
リモコン信号復調部５３は、ＡＧＣ５２でレベル調整された信号をリモコンパルス信号に変換し、制御マイコン１０へ出力する。
【００１７】
以上により、赤外線リモコン０６で選局操作がされると、制御マイコン１０がリモコンパルス信号を受け取り、チューナー部０１にリモコン制御信号を送信することにより選局動作を行なうことができる。
【００１８】
次に、図６において、環境照度に応じた映像輝度調整動作を説明する。
【００１９】
環境外光が環境照度受光部０９に入力されると、環境照度受光部０９は環境外光の照度に応じた電流・電圧を照度信号として制御マイコン１０へ出力する。
【００２０】
制御マイコン１０では、環境照度受光部０９より入力された照度信号に基づき、映像処理部０２の制御を行なう。例えば、照度信号の値が高い、つまり環境照度が高い場合には映像の輝度を上げ、照度信号の値が低い、つまり環境照度が低い場合には映像の輝度を下げるよう、映像処理部０２に輝度制御信号を送信する。
【００２１】
映像処理部０２は、チューナー部０１から入力された映像信号に対して、制御マイコン１０の制御に基づいた映像処理を行い、映像表示部０３へ出力する。
【００２２】
映像表示部０３は、映像処理部０２より入力された映像信号の表示を行なう。
【００２３】
図７において、環境照度受光部０９は、環境照度受光素子９１、照度信号生成部９２から構成される。
【００２４】
環境照度受光素子９１は、可視光の範囲に感度波長帯域をもった素子で、環境外光が入力されると、環境外光の照度に応じた電流・電圧を発生する。照度信号生成部９２は、環境照度受光素子９１からの信号の増幅等を行い、照度信号として制御マイコン１０へ出力する。
【００２５】
以上より、周囲環境に応じて制御マイコン１０が照度信号を受け取り、映像輝度を調整することができる。
【００２６】
なお、本願発明に関連する技術として、特許文献１では、赤外線リモコン信号の入力処理と環境外光の赤外線の強弱検出を同時に行う方法が提案されている。
【先行技術文献】
【特許文献】
【００２７】
【特許文献１】特開２００７−２５０８１２号公報
【発明の概要】
【発明が解決しようとする課題】
【００２８】
しかしながら、前記従来の構成では、リモコンの受光部０８と、環境照度受光部０９は、それぞれ独立した受光部品を使用している。その為、放送受信装置の外装にそれぞれの受光部品に光を導くための受光窓のスペースが必要となり、外装デザインの制約となっている。
【００２９】
また、受光という共通目的の為に部品を２つ使う為、部品点数の面からもコスト高となる。
【００３０】
なお、特許文献１では、１つの受光素子により、赤外線リモコン信号の入力処理と環境外光の赤外線の強弱検出を兼ねる提案がなされているが、環境外光としては赤外線のみしか検出せず、また赤外線の強度は強弱二値の判定しかしないので、可視光の照度検出には使用出来ない。
【課題を解決するための手段】
【００３１】
前記従来の課題を解決するために、本発明の受光素子は、可視光の環境外光、および前記環境外光と赤外線リモコン信号の混合信号を受光する受光部と、前記受光した混合信号から前記赤外線リモコン信号を抽出し、前記抽出した赤外線リモコン信号をリモコンパルス信号に変換するリモコン信号復調部と、前記受光した環境外光から照度信号を生成する照度信号生成部と、前記リモコンパルス信号の出力の有無を判定し、前記リモコンパルス信号の出力が無い間は、前記受光した環境外光から生成された照度信号を保持し、前記リモコンパルス信号の出力が有る間は、前記照度信号生成部に対し、前記受光した環境外光から生成する照度信号に代えて、前記リモコンパルス信号の出力が無い間に保持している照度信号を出力するよう制御する制御部と、からなる。
【００３２】
また、本発明の出力制御方法は、可視光の環境外光、および前記環境外光と赤外線リモコン信号の混合信号を受光する第１のステップと、前記受光した混合信号から前記赤外線リモコン信号を抽出し、前記抽出した赤外線リモコン信号をリモコンパルス信号に変換する、または前記受光した環境外光から照度信号を生成する第２のステップと、前記リモコンパルス信号の出力の有無を判定し、前記リモコンパルス信号の出力が無い間は、前記受光した環境外光から生成された照度信号を保持および出力し、前記リモコンパルス信号の出力が有る間は、前記リモコンパルス信号とともに、前記受光した環境外光から生成した照度信号に代えて、前記リモコンパルス信号の出力が無い間に保持している照度信号を出力する第３のステップと、からなる。
【００３３】
本発明の受光素子および出力制御方法によれば、リモコンパルス信号が出力されている間は、リモコンパルス信号が出力されていない間に保持している可視光の環境外光から生成した照度信号を出力するようにしたので、本受光素子、出力制御方法を用いる装置において、赤外線リモコン信号と可視光の環境外光を受光する受光部を共用化することができ、外装デザインの自由度が増し、また部品点数の削減・実装基板面積の削減等のコストダウンを行なうことが可能となる。
【００３４】
前記従来の課題を解決するために、本発明の受光システムは、可視光の環境外光、および前記環境外光と赤外線リモコン信号の混合信号を受光する受光部と、前記受光した混合信号から前記赤外線リモコン信号を抽出し、前記抽出した赤外線リモコン信号をリモコンパルス信号に変換するリモコン信号復調部と、前記受光した環境外光から照度信号を生成する照度信号生成部と、からなる受光素子と、前記リモコンパルス信号および前記環境信号を受信し、前記リモコンパルス信号を受信していない間は、前記受光した環境外光から生成された照度信号を保持するとともに、前記受光した環境外光から生成された照度信号に基づき輝度制御信号を出力し、前記リモコンパルス信号を受信している間は、前記リモコンパルス信号に基づきリモコン制御信号を出力するとともに、前記受光した環境外光から生成された照度信号に代えて、前記リモコンパルス信号の出力を受信していない間に保持している照度信号に基づき輝度制御信号を出力する制御マイコンと、からなる。
【００３５】
また、本発明の出力制御方法は、可視光の環境外光、および前記環境外光と赤外線リモコン信号の混合信号を受光する第１のステップと、前記受光した混合信号から前記赤外線リモコン信号を抽出し、前記抽出した赤外線リモコン信号をリモコンパルス信号に変換する、または前記受光した環境外光から照度信号を生成する第２のステップと、前記リモコンパルス信号および前記環境信号を受信し、前記リモコンパルス信号を受信していない間は、前記受光した環境外光から生成された照度信号を保持するとともに、前記受光した環境外光から生成された照度信号に基づき輝度制御信号を出力し、前記リモコンパルス信号を受信している間は、前記リモコンパルス信号に基づきリモコン制御信号を出力するとともに、前記受光した環境外光から生成された照度信号に代えて、前記リモコンパルス信号の出力を受信していない間に保持している照度信号に基づき輝度制御信号を出力する第３のステップと、からなる。
【００３６】
本発明の受光システムおよび出力制御方法によれば、放送受信装置における受光システム（受光素子および制御マイコン）において、リモコンパルス信号を受信している間は、リモコンパルス信号を受信していない間に保持している可視光の環境外光から生成した照度信号に基づき輝度制御信号を出力するようにしたので、本受光システム、出力制御方法を用いる装置において、赤外線リモコン信号と可視光の環境外光を受光する受光部を共用化することができ、外装デザインの自由度が増し、また部品点数の削減・実装基板面積の削減等のコストダウンを行なうことが可能となる。
【発明の効果】
【００３７】
本発明の受光素子および出力制御方法によれば、リモコンパルス信号が出力されている間は、リモコンパルス信号が出力されていない間に保持している可視光の環境外光から生成した照度信号を出力するようにしたので、本受光素子、出力制御方法を用いる装置において、赤外線リモコン信号と可視光の環境外光を受光する受光部を共用化することができ、外装デザインの自由度が増し、また部品点数の削減・実装基板面積の削減等のコストダウンを行なうことが可能となる。
【００３８】
また、本発明の受光システムおよび出力制御方法によれば、リモコンパルス信号を受信している間は、リモコンパルス信号を受信していない間に保持している可視光の環境外光から生成した照度信号に基づき輝度制御信号を出力するようにしたので、本受光システム、出力制御方法を用いる装置において、赤外線リモコン信号と可視光の環境外光を受光する受光部を共用化することができ、外装デザインの自由度が増し、また部品点数の削減・実装基板面積の削減等のコストダウンを行なうことが可能となる。
【図面の簡単な説明】
【００３９】
【図１】本発明の実施例１における放送受信装置の構成図
【図２】本発明の実施例１における放送受信装置のリモコン・環境照度受光部の構成図
【図３】本発明の実施例1における放送受信装置の動作を示すフローチャート
【図４】本発明の実施例２における放送受信装置のリモコン・環境照度受光部の構成図
【図５】本発明の実施例２における放送受信装置の動作を示すフローチャート
【図６】従来の放送受信装置の構成図
【図７】従来の放送受信装置におけるリモコン受光部および環境照度受光部の構成図
【発明を実施するための形態】
【００４０】
以下本発明を実施するための形態について、図面を参照しながら説明する。
【実施例１】
【００４１】
図１は、本発明の実施例１における放送受信装置の構成図である。
【００４２】
本発明の実施例１における放送受信装置１００は、チューナー部０１、映像処理部０２、映像表示部０３、制御マイコン０４、リモコン・環境照度受光部０５から構成される。
【００４３】
従来の放送受信装置２００と異なる点は、制御マイコン１０、リモコン受光部０８、環境照度受光部０９に代えて、制御マイコン０４、リモコン・環境照度受光部０５を備える点である。
【００４４】
以下、従来の放送受信装置２００と異なる点を中心に、赤外線リモコン０６による選局時の動作を説明する。
【００４５】
リモコン・環境照度受光部０５は、赤外線リモコン０６からユーザー操作により赤外線リモコン信号が出力されていない間、環境外光のみを受光し、環境外光の照度に応じた電流・電圧を照度信号として制御マイコン０４へ出力する。制御マイコン０４では、リモコン・環境照度受光部０５より入力された照度信号に基づき、映像処理部０２の制御を行なう。
【００４６】
一方、赤外線リモコン０６からユーザー操作により赤外線リモコン信号が送信されると、リモコン・環境照度受光部０５は、環境外光と赤外線リモコン０６からの赤外線リモコン信号の両方（混合信号）を受光することになるが、後述する制御により、赤外線リモコン信号を電気信号のリモコンパルス信号に変換し制御マイコン０４へ出力するとともに、照度信号を制御マイコン０４へ出力する。
【００４７】
制御マイコン０４は、リモコン・環境照度受光部０５からのリモコンパルス信号を受信し、チューナー部０１へＣＨ切替信号や入力切替信号（リモコン制御信号）を送る。また、制御マイコン０４は、リモコン・環境照度受光部０５より入力された照度信号に基づき、映像処理部０２の制御を行なう。
【００４８】
図２は、本発明の実施例１における放送受信装置におけるリモコン・環境照度受光部の構成図である。
【００４９】
リモコン・環境照度受光部０５は、受光部５１、ＡＧＣ５２、リモコン信号復調部５３、制御部５４、照度信号生成部５５から構成される。なお、図２において、図７と同じ構成要素については同じ符号を用い、適宜説明を省略する。
【００５０】
受光部５１は、可視光から赤外光の範囲に感度波長帯域をもった素子である。
【００５１】
受光部５１は、赤外線リモコン０６から赤外線リモコン信号が出力されていない間は、環境外光を受光し電流・電圧へ変換し、変換した電流・電圧を環境外光をＡＧＣ５２および照度信号生成部５５へ出力する。
【００５２】
一方、受光部５１は、赤外線リモコン０６から赤外線リモコン信号が出力されると、環境外光と赤外線リモコン信号の混合信号を受光し電流・電圧へ変換し、変換した電流・電圧をＡＧＣ５２および照度信号生成部５５へ出力する。
【００５３】
リモコン信号復調部５３は、ＡＧＣ５２でレベル調整された環境外光、または混合信号を受信し、受信した環境外光または混合信号の内、混合信号に含まれる赤外線リモコン信号のみを抽出し、抽出した赤外線リモコン信号をリモコンパルス信号に変換し、制御マイコン０４および制御部５４へ出力する。
【００５４】
制御部５４は、ＡＧＣ５２におけるＡＧＣレベル調整やリモコン信号復調部５３の制御等を行う他、リモコン信号復調部５３から出力されたリモコンパルス信号の出力の有無を判定し、リモコン信号復調部５３からリモコンパルス信号が出力されていないと判定すると、その間、照度信号生成部５５において受光部５１で受光した環境外光から生成された照度信号を保持する。
【００５５】
一方、制御部５４は、リモコン信号復調部５３からリモコンパルス信号が出力されていると判定すると、照度信号生成部５５に対して、受光部５１で受光した環境外光から生成する照度信号に代えて、リモコン信号復調部５３からリモコンパルス信号が出力されていない間、制御部５４で保持している照度信号を制御マイコン０４に出力するよう制御する。
【００５６】
照度信号生成部５５は、赤外線リモコン０６から赤外線リモコン信号が出力されていない間（つまり、リモコン信号復調部５３からリモコンパルス信号が出力されていない間）は、受光部５１で受光した環境外光から照度信号を生成し、制御マイコン０４に出力する。
【００５７】
一方、照度信号生成部５５は、赤外線リモコン０６から赤外線リモコン信号が出力されている間（つまり、リモコン信号復調部５３からリモコンパルス信号が出力されている間）は、制御部５４から制御に基づき、受光部５１で受光した環境外光から生成する照度信号に代えて、リモコン信号復調部５３からリモコンパルス信号が出力されていない間、制御部５４で保持している照度信号を制御部５４から受信し制御マイコン０４に出力する。
【００５８】
次に、図３を用いて、環境照度受光時に赤外線リモコン信号を受光した際の放送受信装置１００の動作を説明する。
【００５９】
図３は、本発明の実施例1における放送受信装置の動作を示すフローチャートである。
【００６０】
リモコン・環境照度受光部０５において、受光部５１は、赤外線リモコン０６から赤外線リモコン信号が出力されていない間は、環境外光を受光し電流・電圧へ変換し、変換した電流・電圧をＡＧＣ５２および照度信号生成部５５へ出力する（ステップＳ３０１）。または、受光部５１は、赤外線リモコン０６から赤外線リモコン信号が出力されると、環境外光と赤外線リモコン信号の混合信号を受光し電流・電圧へ変換し、変換した電流・電圧をＡＧＣ５２および照度信号生成部５５へ出力する（ステップＳ３０１）。
【００６１】
制御部５４は、リモコン信号復調部５３からリモコンパルス信号が出力されているか否かを判定する（ステップＳ３０２）。
【００６２】
制御部５４は、リモコン信号復調部５３からリモコンパルス信号が出力されていないと判定する（ステップＳ３０２でＮｏ）と、リモコン信号復調部５３からリモコンパルス信号が出力されていない間、照度信号生成部５５において受光部５１で受光した環境外光から生成された照度信号を保持する（ステップＳ３０３）。
【００６３】
一方、制御部５４は、リモコン信号復調部５３からリモコンパルス信号が出力されていると判定する（ステップＳ３０２でＹｅｓ）と、照度信号生成部５５に対して、受光部５１で受光した環境外光から生成する照度信号に代えて、リモコン信号復調部５３からリモコンパルス信号が出力されていない間、制御部５４で保持している照度信号を制御マイコン０４に出力するよう制御する（ステップＳ３０４）。
【００６４】
照度信号生成部５５は、赤外線リモコン０６から赤外線リモコン信号が出力されていない間（つまり、リモコン信号復調部５３からリモコンパルス信号が出力されていない間）は、受光部５１で受光した環境外光から照度信号を生成し、制御マイコン０４に出力する（ステップＳ３０５）。
【００６５】
一方、照度信号生成部５５は、赤外線リモコン０６から赤外線リモコン信号が出力されている間（つまり、リモコン信号復調部５３からリモコンパルス信号が出力されている間）は、制御部５４から制御に基づき、受光部５１で受光した環境外光から生成する照度信号に代えて、リモコン信号復調部５３からリモコンパルス信号が出力されていない間、制御部５４で保持している照度信号を制御部５４から受信し制御マイコン０４に出力する（ステップＳ３０５）。
【００６６】
制御マイコン０４は、リモコン信号復調部５３からのリモコンパルス信号を受信し、チューナー部０１へリモコン制御信号を送る（ステップＳ３０６）。また、制御マイコン０４は、照度信号生成部５５より入力された照度信号に基づき、映像処理部０２の制御を行なう（ステップＳ３０６）。
【００６７】
以上、本発明の放送受信装置における受光素子によれば、リモコンパルス信号が出力されている間は、リモコンパルス信号が出力されていない間に保持している可視光の環境外光から生成した照度信号を出力するようにしたので、放送受信装置において、赤外線リモコン信号と可視光の環境外光を受光する受光部を共用化することができ、外装デザインの自由度が増し、また部品点数の削減・実装基板面積の削減等のコストダウンを行なうことが可能となる。
【００６８】
なお、実施例１では放送受信装置における受光素子を例に挙げて説明したが、これに限らず、本発明は放送受信装置以外の装置や方法においても適用可能である。
【実施例２】
【００６９】
図４は、本発明の実施例２における放送受信装置のリモコン・環境照度受光部の構成図である。リモコン・環境照度受光部０７が、実施例１におけるリモコン・環境照度受光部０５と異なる点は、制御部５４、照度信号生成部５５に代えて、制御部７１、照度信号生成部７２を備える点である。また、リモコン・環境照度受光部からの出力を受ける制御マイコンも制御マイコン０４に代えて、制御マイコン１４が備えられている。なお、図２と同じ構成要素については同じ符号を用い、適宜説明を省略する。
【００７０】
制御部７１は、ＡＧＣ５２におけるＡＧＣレベル調整やリモコン信号復調部５３の制御等を行う。
【００７１】
照度信号生成部７２は、受光部５１で受光した環境外光から照度信号を生成し、制御マイコン１４に出力する。
【００７２】
制御マイコン１４は、リモコン信号復調部５３から出力されたリモコンパルス信号を受信していない間、照度信号生成部７２から出力される受光部５１で受光した環境外光から生成された照度信号を保持するとともに、受光部５１で受光した環境外光から生成された照度信号に基づき映像処理部０２に輝度制御信号を出力する。
【００７３】
一方、制御マイコン１４は、リモコン信号復調部５３からリモコンパルス信号を受信している間、照度信号生成部７２から出力される受光部５１で受光した環境外光から生成された照度信号に代えて、リモコン信号復調部５３からリモコンパルス信号を受信していない間保持している照度信号に基づき映像処理部０２に輝度制御信号を出力する。また、制御マイコン１４は、リモコン信号復調部５３から受信したリモコンパルス信号に基づきチューナー部０１にリモコン制御信号を出力する。
【００７４】
図５は、本発明の実施例２における放送受信装置の動作を示すフローチャートである。
【００７５】
リモコン・環境照度受光部０７において、照度信号生成部７２は、受光部５１で受光した環境外光から照度信号を生成し、制御マイコン１４に出力する（ステップＳ５０１）。
【００７６】
制御マイコン１４は、リモコン信号復調部５３からのリモコンパルス信号を受信していない間（ステップＳ５０２でＮｏ）、照度信号生成部７２から出力される受光部５１で受光した環境外光から生成された照度信号を保持する（ステップＳ５０３）。
【００７７】
一方、制御マイコン１４は、リモコン信号復調部５３からリモコンパルス信号を受信している間（ステップＳ５０２でＹｅｓ）、照度信号生成部７２から出力される受光部５１で受光した環境外光から生成された照度信号に代えて、リモコン信号復調部５３からリモコンパルス信号を受信していない間保持している照度信号を読み出す（ステップＳ５０４）。
【００７８】
制御マイコン１４は、リモコン信号復調部５３からのリモコンパルス信号を受信していない間（ステップＳ５０２でＮｏ）、受光部５１で受光した環境外光から生成された照度信号に基づき映像処理部０２に輝度制御信号を出力する（ステップＳ５０５）。
【００７９】
一方、制御マイコン１４は、リモコン信号復調部５３からリモコンパルス信号を受信している間（ステップＳ５０２でＹｅｓ）、照度信号生成部７２から出力される受光部５１で受光した環境外光から生成された照度信号に代えて、リモコン信号復調部５３からリモコンパルス信号を受信していない間保持している照度信号に基づき映像処理部０２に輝度制御信号を出力する。また、制御マイコン１４は、リモコン信号復調部５３から受信したリモコンパルス信号に基づきチューナー部０１にリモコン制御信号を出力する（ステップＳ５０５）。
【００８０】
以上、本発明の放送受信装置における受光システム（受光素子および制御マイコン）によれば、リモコンパルス信号を受信している間は、リモコンパルス信号を受信していない間に保持している可視光の環境外光から生成した照度信号に基づき輝度制御信号を出力するようにしたので、放送受信装置において、赤外線リモコン信号と可視光の環境外光を受光する受光部を共用化することができ、外装デザインの自由度が増し、また部品点数の削減・実装基板面積の削減等のコストダウンを行なうことが可能となる。
【００８１】
なお、実施例２では放送受信装置における受光システムを例に挙げて説明したが、これに限らず、本発明は放送受信装置以外の装置や方法においても適用可能である。
【産業上の利用可能性】
【００８２】
本発明は、リモコンパルス信号が出力されている間は、リモコンパルス信号が出力されていない間に保持している可視光の環境外光から生成した輝度信号を出力するようにしたので、本受光素子、出力制御方法を用いる装置において、赤外線リモコン信号と可視光の環境外光を受光する受光部を共用化することができ、外装デザインの自由度が増し、また部品点数の削減・実装基板面積の削減等のコストダウンを行なうことが可能となり、受光素子に係わり、特に放送受信装置などにおける受光素子において、リモコンパルス信号および照度信号の出力を制御する技術として有用である。
【符号の説明】
【００８３】
０１    チューナー部
０２    映像処理部
０３    映像表示部
０４、１４    制御マイコン
０５、０７    リモコン・環境照度受光部
０６    赤外線リモコン
５１    受光部
５２    ＡＧＣ
５３    リモコン信号復調部
５４、７１    制御部
５５、７２    照度信号生成部
【図１】
2011249968.tif 000003
【図２】
2011249968.tif 000004
【図３】
2011249968.tif 000005
【図４】
2011249968.tif 000006
【図５】
2011249968.tif 000007
【図６】
2011249968.tif 000008
【図７】
2011249968.tif 000009